(57)【要約】【課題】トイレブース１等のブースの出入り口Ｅに設けられる円弧状ドア装置において、円弧軌跡Ｘを描いて開閉移動する戸体５の戸先側端縁部を、出入り口Ｅの戸先側に配される戸当り８により安定した状態で確実に受け止める。【解決手段】戸先側前面パネル体２に基辺部８ａがビス８ｂで固定された戸当り８を、基辺部８ａから戸体５の円弧軌跡Ｘを横切るようにして当接辺部８ｍを戸尻側に延出し、該当接辺部８ｍに、閉鎖した戸体５の戸先側端縁部が当接する当接面部８ｎを形成して面当接状に受け止めるようにする。【選択図】図８
2019148136.tif 000002
【特許請求の範囲】
【請求項１】
ブース前部に配される戸先側、戸尻側の両前面パネル体のあいだに形成される出入り口を開閉するためのブース用の円弧状ドア装置であって、
該円弧状ドア装置は、出入り口をスライド移動して開閉する円弧状の戸体と、出入り口の上部からブース内上部に至るよう配され、前記戸体を吊持する状態で前記円弧状戸体の開閉スライド移動を円弧軌跡を描く状態で案内する円弧状の吊りレールとを備え、
閉鎖した戸体の戸先側端縁部が当接して受けるため設けられる戸当りを、戸先側前面パネル体に取付けるための基辺部と、該基辺部から戸体の円弧軌跡を横切るように戸尻側に向けて延出していて、前記閉鎖戸体の戸先側端縁部が当接する当接辺部とを備えたもので構成すると共に、
該当接辺部には、閉鎖戸体の戸先側端縁部が当接する当接面部が前記円弧軌跡を横切るようにして設けられていることを特徴とするブース用の円弧状ドア装置。
【請求項２】
当接面部は、戸尻側がブース奥側に傾斜するよう設けられていることを特徴とする請求項１記載のブース用の円弧状ドア装置。
【請求項３】
基辺部は、戸先側前面パネル体のブース室内側面に取付けられることを特徴とする請求項１または２記載のブース用の円弧状ドア装置。
【請求項４】
閉鎖戸体の戸先側端縁部と戸先側前面パネル体の戸尻側端縁部とのあいだの隙間を通してのブース内への視認が、戸体の戸先側端縁部が当接面部に当接することで遮蔽されることを特徴とする請求項１乃至３の何れか１記載のブース用の円弧状ドア装置。
【請求項５】
当接辺部は、前記当接面部が形成される前側辺部と、該前側辺部よりもブース奥側に配される奥側辺部と、前側辺部、奥側辺部の戸尻側端縁部同士を連結する連結辺部とを備えて中空状に形成されていることを特徴とする請求項１乃至４の何れか１記載のブース用の円弧状ドア装置。
【請求項６】
戸当りは、戸先側前面パネル体の戸尻側端縁部に設けられる端部材のブース奥側辺部の戸先側端縁に、基辺部を戸先側から戸尻側に向けて突き当てることで位置決めされることを特徴とする請求項１乃至５の何れか１記載のブース用の円弧状ドア装置。
【請求項７】
出入り口の左右幅の寸法が異なるものである場合に、それぞれ異なる寸法に対応した円弧状の戸体および吊りレールが備えられ、これら戸体、吊りレールは、戸体の当接面部に対する戸当り角度が略一定の角度になるよう円弧中心の位置が調節して設けられることを特徴とする請求項１乃至６の何れか１記載のブース用の円弧状ドア装置。
【発明の詳細な説明】
【技術分野】
【０００１】
本発明は、トイレブースやシャワーブース等の仕切られた（区画された）ブース（部屋）の出入り口に建て付けられるブース用の円弧状ドア装置の技術分野に関するものである。
【背景技術】
【０００２】
今日、トイレブース等の仕切られたブースの出入り口に建て付けられるドア装置として円弧状の戸体を円弧軌跡に沿って左右方向にスライド移動させることで出入り口の開閉をするようにした所謂円弧状ドア装置が提唱されている。このような円弧状ドア装置は、出入り口を開放したときに戸体をブース室内に引き入れた状態にできることから、通常の左右スライド式のドア装置の場合に比して、出入り口の左右幅を広く確保しながらブースの左右幅を小さいものにできる、という利点がある。そしてこの場合に、左右直線状に移動するスライド式のドア装置では、閉鎖時の戸体の負荷を戸先側端縁部に設けた戸当りで受止めることになるが、このためには、戸当りの強度を、受止め負荷に十分耐え得るものにしなければならないが、このことは円弧状ドア装置の戸体においても同様である。
このため円弧状ドア装置において、戸体がブース構成部材である前面パネルと側面パネルとのコーナー部を円弧軌跡に沿って左右スライド移動する構成のものである場合、全閉時の戸先側端縁部の移動方向を、前面パネル体の左右パネル面方向と平行状（同じ方向、接線方向）にすることで、戸体の戸先側端縁部の戸当り角度を直角状にして受けることができる（例えば特許文献１参照。）。
しかしながら出入り口が、前記特許文献１のようにコーナー部でなく、左右に設けられた前面パネル体間に設けられたものである場合、戸体の移動方向は、戸先側の前面パネル体に対してブース内に引き込む（入り込む）方向の円弧軌跡になるため、単純に直線状にスライド移動するドア装置の戸当りをそのまま採用したときに、戸体の戸先側端縁部を好ましい戸当り角度で受け止めることができない。
そこで戸先側の前面パネル体と側面パネル体とのコーナー部を、隣接するブース側に向いた円弧状とし、該円弧状部位に戸当りを設けて閉鎖時の戸体を直角状に受けるようにしたものが提唱されている（例えば特許文献２参照。）が、このものはブースを構成するパネル体が円弧状という特殊な形状にしなければならないことになってブース自体の汎用性が欠ける等の問題がある。
これに対し、戸先側端縁部を、前面パネル体の戸尻側端部から突設した棒状の戸当り部材で受けるようにしたものが提唱されている（特許文献３参照。）。
【先行技術文献】
【特許文献】
【０００３】
【特許文献１】実開平５−９４４９０号公報
【特許文献２】特開２０１６−２０６０２号公報
【特許文献３】特開平１１−７１９２３号公報
【発明の概要】
【発明が解決しようとする課題】
【０００４】
ところが前記特許文献３のものは、戸先側前面パネル体に設けた棒状の戸当りに対して戸体の戸先側端縁部が当接して受け止めるものであるため、戸当りの戸体の戸先側先端部に対する当接が線状になって安定性に欠け、確実な受け止め支持ができないだけでなく、戸当りに戸体が当接したときの衝撃力を、戸先側前面パネル体の戸当り取付け部位で受けることになり、この結果、該戸当り取付け部位に集中的な負荷が働くことになって、戸先側正面パネル体について、少なくとも該部位の強度アップが図られたものを採用する必要があって汎用性に欠けることになるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ブース前部に配される戸先側、戸尻側の両前面パネル体のあいだに形成される出入り口を開閉するためのブース用の円弧状ドア装置であって、該円弧状ドア装置は、出入り口をスライド移動して開閉する円弧状の戸体と、出入り口の上部からブース内上部に至るよう配され、前記戸体を吊持する状態で前記円弧状戸体の開閉スライド移動を円弧軌跡を描く状態で案内する円弧状の吊りレールとを備え、閉鎖した戸体の戸先側端縁部が当接して受けるため設けられる戸当りを、戸先側前面パネル体に取付けるための基辺部と、該基辺部から戸体の円弧軌跡を横切るように戸尻側に向けて延出していて、前記閉鎖戸体の戸先側端縁部が当接する当接辺部とを備えたもので構成すると共に、該当接辺部には、閉鎖戸体の戸先側端縁部が当接する当接面部が前記円弧軌跡を横切るようにして設けられていることを特徴とするブース用の円弧状ドア装置である。
請求項２の発明は、当接面部は、戸尻側がブース奥側に傾斜するよう設けられていることを特徴とする請求項１記載のブース用の円弧状ドア装置である。
請求項３の発明は、基辺部は、戸先側前面パネル体のブース室内側面に取付けられることを特徴とする請求項１または２記載のブース用の円弧状ドア装置である。
請求項４の発明は、閉鎖戸体の戸先側端縁部と戸先側前面パネル体の戸尻側端縁部とのあいだの隙間を通してのブース内への視認が、戸体の戸先側端縁部が当接面部に当接することで遮蔽されることを特徴とする請求項１乃至３の何れか１記載のブース用の円弧状ドア装置である。
請求項５の発明は、当接辺部は、前記当接面部が形成される前側辺部と、該前側辺部よりもブース奥側に配される奥側辺部と、前側辺部、奥側辺部の戸尻側端縁部同士を連結する連結辺部とを備えて中空状に形成されていることを特徴とする請求項１乃至４の何れか１記載のブース用の円弧状ドア装置である。
請求項６の発明は、戸当りは、戸先側前面パネル体の戸尻側端縁部に設けられる端部材のブース奥側辺部の戸先側端縁に基辺部を戸先側から戸尻側に向けて突き当てることで位置決めされることを特徴とする請求項１乃至５の何れか１記載のブース用の円弧状ドア装置である。
請求項７の発明は、出入り口の左右幅の寸法が異なるものである場合に、それぞれ異なる寸法に対応した円弧状の戸体および吊りレールが備えられ、これら戸体、吊りレールは、戸体の当接面部に対する戸当り角度が略一定の角度になるよう円弧中心の位置が調節して設けられることを特徴とする請求項１乃至６の何れか１記載のブース用の円弧状ドア装置である。
【発明の効果】
【０００６】
請求項１の発明とすることにより、円弧状の戸体、吊りレールを備えたブース用の円弧状ドア装置において、戸体が閉鎖する際に戸体の戸先側端縁部が当接して受け止めるための戸当りが、戸先側前面パネル体に取付けられる基辺部と、該基辺部から戸体の円弧軌跡を横切るように戸尻側に向けて延出した当接辺部とを備え、該当接辺部に設けられた当接面部に閉鎖する戸体の戸先側端縁部が当接することになり、この結果、円弧軌跡を描きながら閉鎖する戸体の戸先側端縁部を、円弧軌跡を横切る状態の広い面として当接面部が受け止めることになって、安定した確実性のある戸当りが、殊更戸先側前面パネル体を補強することなくできることになる。
請求項２の発明とすることにより、当接面部を、戸尻側がブース奥側に傾斜した状態になって戸体の円弧軌跡に対して強度的に有利な戸当り角度を有したものにでき、安定した戸体受止めができることになる。
請求項３の発明とすることにより、戸当りの基辺部が、戸先側パネル体のブース室内側面に取付けられるため、ブースを前面（正面）側から見たときに、基辺部が見えないことになって外観性が向上する。
請求項４の発明とすることにより、閉鎖戸体の戸先側端縁部と戸先側前面パネル体の戸尻側端縁部とのあいだにある隙間を通してのブース内への視認が、戸体の戸先側端縁部が当接面部に当接することで遮蔽されるため、別途遮蔽部材を用いることなく、防犯性が優れたものになる。
請求項５の発明とすることにより、当接面部が形成される当接辺部が、当接面部が形成される前側辺部と、該前側辺部よりもブース奥側に配される奥側辺部と、前側辺部、奥側辺部の戸尻側端縁部同士を連結する連結辺部とを備えた中空状のもので形成されているため、強度的に強いものになってより安定した戸当りとすることができる。
請求項６の発明とすることにより、戸当りの位置決めされた取付けが簡単になって施工性が向上する。
請求項７の発明とすることにより、出入り口の左右幅の寸法が異なるブースに、各寸法に対応した円弧状の戸体、吊りレールを取付ける場合に、戸体の当接面部に対する戸当り角度が略一定の角度になるよう円弧中心の位置を調節することで、出入り口幅が異なりながら戸当りを共通したものにでき、部品の共通化が図れることになる。
【図面の簡単な説明】
【０００７】
【図１】（Ａ）（Ｂ）はトイレブースの正面図、側面図である。
【図２】トイレブースの平面図である。
【図３】トイレブースの戸体を省略した概略分解斜視図である。
【図４】円弧状ドア装置の平面図である。
【図５】（Ａ）（Ｂ）は吊りローラ部位の正面図、戸体部位の縦断面図である。
【図６】戸当り部位の背面図である。
【図７】戸体がない状態を示す戸先側部位の平面図である。
【図８】戸体が閉鎖した状態を示す戸先側部位の平面図である。
【図９】戸当りの平面図である。
【図１０】出入口の寸法が異なる場合の円弧状ドア装置の納まり状態を示す平面図である。
【図１１】出入口の寸法が異なる場合の戸先側部位の戸体が閉鎖した状態を示す平面図である。
【発明を実施するための形態】
【０００８】
以下、本発明の実施の形態について、図面に基づいて説明する。図面において、１はトイレブースであって、該トイレブース１は、左右に複数が隣接する状態で設けられたものであり、出入り口（開口）Ｅを構成すべく前面（正面）に左右間隙を存する状態で設けられる戸先側、戸尻側の前面パネル体２、３と、これら前面パネル体２、３が先端部（前端部）に設けられていてこれら前面パネル体２、３とトイレブース奥端の壁等の躯体面Ｗとのあいだを仕切る側面パネル体４とを備えることで平面視で矩形状に形成されていること等は何れも従来通りである。
尚、本実施の形態ではトイレブース１が左右に隣接されるものでありこの場合、隣接するトイレブース１間を仕切る側面パネル体４の先端部に設けられる中間の戸先側、戸尻側の前面パネル体２、３同士は左右に連続した一体もので構成され、端側の前面パネル体２、３は各別なもので構成されている。また、本実施の形態では、図２における左側のトイレブース１の左側面は、側面パネル４ではなく壁等の躯体面Ｗで形成されているが、これらの構成については必要において適宜実施できるものであることは言うまでもない。
【０００９】
５は平面視で円弧形状をした戸体であって、該戸体５は、戸体５の左右上端縁部に設けたブラケット６ａから上方に突出する状態でハンガーローラ（吊りローラ）６が設けられるが、該ハンガーローラ６が転動することで移動案内される吊りレール（ハンガーレール、案内レール）７は、前記戸体５の円弧形状に沿うよう円弧状をし、出入り口Ｅの上方とトイレブース１内に入り込む状態において左右方向一方（戸尻側）の側面パネル４の上端部とに亘るよう配設されている。因みに本実施の形態の吊りレール７は、戸先側前面パネル体２に設けたブラケット７ａ、戸尻側前面パネル体３に設けたブラケット７ｂ、側面パネル体４（あるいは躯体面Ｗ）に設けた前後一対のブラケット７ｃ、７ｄに止着されることで取付けられている。そして前記ハンガーローラ６が吊りレール７を水平方向に転動することにより、戸体５は左右方向にスライド移動して前記出入り口Ｅを閉鎖する閉鎖姿勢と、トイレブース１の戸尻側側面パネル体４側のトイレブース１内に入り込む状態になって出入り口Ｅを開放（開口）する開放姿勢とに変姿するようになっている。尚、Ｔはトイレブース１内に設けられる便器、Ｓは吊りレール６と戸体５とのあいだの前面側部位を塞ぐ塞ぎ板である。
【００１０】
また、戸体５の戸先側端部のブース内外両側パネル面には把手１３が設けられ、ブース室内側パネル面には施錠用操作具１４が設けられるが、戸体５の閉鎖状態で施錠用操作具１４を操作することにより、図示しない施錠体（施錠ロッド、ラッチ）が吊りレール７側に設けた施錠受け（図示せず）に突出係止し、これにより閉鎖姿勢の戸体５の施錠ができるようになっている。尚、施錠受けについては、吊りレール７ではなく、戸当り８に設けることもでき、この場合、施錠受けは、後述する当接面部８ｎよりもブース奥側に設けられることになる。
さらに戸体５の戸先側端部、戸尻側端部にはそれぞれ戸体５用の端部材（エッジ部材）１５、１６が設けられ、これら端部材１５、１６にはゴム質弾性を有した緩衝材１５ａ、１６ａがさらに設けられている。
【００１１】
トイレブース１には、戸体５が閉鎖した際に戸体５の戸先側端縁部が当接して受ける戸当り８、戸体５の下端縁部に形成されたガイド溝（軌道）５ａに嵌入（係止）して戸体５の開閉ガイドをするため戸尻側前面パネル体３にブラケット９ａを介して設けられる振れ止め用のガイド体（ガイドローラ、振れ止めローラ）９、戸体５が全開するときの衝撃を緩衝するべく吊りレール７の戸尻側端部に配設された後述する緩衝部材１０を備えている。尚、緩衝部材１０は必要において戸先側に設けてもよいことは勿論である。
【００１２】
前記戸当り８は、戸体５の全長（全高さ）に略対応すべく長尺物で構成され、本実施の形態では、上端部が吊りレール７の下面に入り込み、下端部が床面Ｆに当接する状態で配されたものであるが、これに限定されず、例えば下端部については、戸体５の下端部に対応した長さとして床面Ｆに当接しないものとしても実施することができる。
そして、基辺部８ａの前面が戸先側前面パネル体２のブース室内側面２ａに面接触する状態でビス８ｂを介して固着されることになるが、該戸当り８は、基辺部８ａの戸尻側端縁（出入り口Ｅ側端縁）８ｃを、戸先側前面パネル２の戸尻側端縁部に嵌合（外嵌）組込みした端部材（エッジ材）１１のブース奥側（室内側）辺部１１ａの戸先側端１１ｂに対して前記面接触状態で戸尻側に向けて（戸尻側に移動させて）突き当てる（当接する）ようにして戸先側前面パネル体２に取付けることにより、戸当り８の位置決めされた状態での取付けができるように設定されている。
因みに戸当り８は、本実施の形態では、複数のビス８ｂを介して戸先側前面パネル体２に上下方向略全長に亘って点在的に固定されるものとし、これらよって戸当り８としての強度が確保される設定になっているため、吊りレール７、床面Ｆに固定しないものとして実施しているが、これらに固定したものであっても勿論よい。
【００１３】
戸当り８は、前記基辺部８ａの戸尻側端縁部から戸先側に連続する状態で僅かにブース奥内（室内）側に没入（退避）していて、端部材１１のブース室内側辺部１１ａを迂回するように設定された没入辺部８ｄを備えているが、基辺部８ａの戸先側端部と没入辺部８ｄの戸尻側端縁部とからは、ブース室内側（奥内側）に向けて折曲するようにして延出（起立）する第一、第二の起立辺部８ｅ、８ｆが形成されており、これにより、両起立辺部８ｅ、８ｆ並びに基辺部８ａ、没入辺部８ｄによってブース室内側が開口した凵字形の空間部８ｇが形成されている。そして戸当り８は、該空間部８ｇの開口から前記ビス８ｂを用いての戸先側前面パネル体２への取付ができるようになっている。
さらに第一起立辺部８ｅは、第二起立片部８ｆよりも延出長さが短くなっており、これによって空間部８ｇは、第二起立片部８ｆ側（戸尻側）が深いものとなっていて戸尻側がブース室内側に偏倚した傾斜状の開口を備えたものになっており、この開口は遮蔽板１２によって開閉自在に覆蓋されている。
【００１４】
戸当り８は、さらに第二起立片部８ｆのブース室内側先端部８ｈと、第二起立片部８ｆの没入辺部８ｄを越えて戸尻側斜め前方に延出した部位の前側先端部８ｉとが設けられ、これら先端部８ｈ、８ｉからは、戸尻側で且つブース奥側（室内側）に向けて斜め傾斜状に延出した前側辺部８ｊと奥側辺部（室内側辺部）８ｋとが形成されているが、これら前側辺部８ｊ、奥側辺部８ｋの戸尻側端縁部同士は円弧状の連結辺部８ｌによって連結されている。そしてこのように構成することで、戸当り８には、戸体５の後述の円弧軌跡Ｘを径方向に横切る状態で戸体５よりも前後方向（円弧軌跡Ｘに直交する方向）に幅広の中空状になった当接辺部８ｍが基辺部８ａからブース奥側および戸尻側に延出する状態で形成されている。
【００１５】
そして当接辺部８ｍを構成する前側辺部８ｊには、平面視において戸先側が前側に位置し、戸尻側がブース奥側に位置する状態で前記戸体５の円弧軌跡Ｘを径方向に向いて直角状に横切るようにして傾斜した当接面部（戸当り面）８ｎが凹陥状に形成されていて、戸体５が閉鎖した場合に、戸先側緩衝材１５ａが遊嵌状に嵌入する状態で当接している。
一方、戸体５、吊りレール７は、同半径の設定で形成されており、そして戸体５は、トイレブース１内に設定される吊りレール７の円弧中心Ｏを基準とする円弧軌跡Ｘに沿って開閉スライド移動をすることになるが、本実施の形態において戸体５の戸先側端縁部となる前記戸先側端部材１５に設けた緩衝材１５ａが、戸当り８の当接面部８ｎに対して所定の戸当り角度（例えば直角）θの角度をもって当接するように設定されている。
【００１６】
叙述の如く構成された本実施の形態において、戸体５は、共に円弧状をした吊りレール７に案内される状態で出入り口Ｅとトイレブース１の戸尻側部位に入り込んだ部位との間を左右スライド移動して出入り口Ｅの開閉をすることになるが、戸体５が閉鎖するとき、戸体５の戸先側端縁部は、戸先側前面パネル体２に設けられた戸当り８に当接して受け止められることになる。
この場合において戸当り８は、戸先側前面パネル体２に取付けられる基辺部８ａと、該基辺部８ａから戸体の円弧軌跡Ｘを径方向に向いて横切るように戸尻側に向けて延出した当接辺部８ｍとを備えたものとして構成され、そして該当接辺部８ｍに形成された当接面部８ｎに閉鎖する戸体５の戸先側端縁部が当接することになるが、この場合に、円弧軌跡Ｘを描きながら閉鎖する戸体５の戸先側端縁部を、円弧軌跡Ｘを横切る状態の広い面としての当接面部８ｎで受け止めることになって、安定した確実性のある戸当りができることになる。
【００１７】
しかもこの場合に、当接面部８ｎは、戸尻側がブース奥側に傾斜するよう設けられているから、該当接面部８ｎを、戸体５の戸先側端縁部の円弧軌跡Ｘに対して強度的に有利な戸当り角度（直角又はこれに近い角度）θを有したものに設定できることになって、安定した戸体５の受止めができることになっている。
【００１８】
一方、戸当り８は、基辺部８ａが戸先側前面パネル体２のブース室内側面２ａに取付けられるため、トイレブース１を室外側（前面側）から見たときに、基辺部８ａは戸先側前面パネル体２に隠れた状態となって視認されることがなく、外観性が向上する。
この場合に戸当り８は、戸先側前面パネル体２の戸尻側端縁部に設けられる端部材１１のブース室内側辺部１１ａの戸先側端縁１１ｂに、基辺部８ａの戸尻側端縁８ｃを戸先側から戸尻側に向けて突き当てるようにして取付けることで、位置決めされた状態での取付けができるため、施工性に優れたものになる。
【００１９】
このようにして組付けられた戸体５は、閉鎖したときに戸体５の戸先側端縁部と戸先側前面パネル体２の戸尻側端縁部とのあいだに隙間を存し、この隙間を通してトイレブース１内を視認できる可能性があるが、この隙間は、戸体５の戸先側端縁部に設けた端部材１５が戸体５の全長に亘って当接面部８ｎに当接することで確実に遮蔽されることなって別途遮蔽部材で塞ぐ必要がないものでありながら防犯性が損なわれることがない。
しかもこのものでは、戸当り８が、戸先側パネル体２に取付けられる基辺部８ａから当接辺部８ｍが延設されたものであるため、この延設部でも前記隙間を塞ぐことになって遮蔽性の優れたものになる。
【００２０】
また戸当り８の当接面部８ｎが形成される当接辺部８ｍは、該当接面部８ｎが形成される前側辺部８ｊと、該前側辺部８ｊよりもブース奥側に配される奥側辺部８ｋと、これら前側辺部８ｊ、奥側辺部８ｋの戸尻側端縁部同士を連結する連結辺部８ｌとを備えて中空状に形成されているため、戸体５を受ける戸当り８として必要な強度を確保できることになって、単に当接面部８ｎを存した前側辺部８ｊに相当するものだけ形成した場合に比して強度的に有利なものとなる。
【００２１】
本発明は、前記実施の形態に限定されるものでないことは勿論であり、出入り口Ｅの開口幅の寸法を種々異ならしめたものについて実施することができるが、この場合に、前記ブース用の円弧状ドア装置を、出入り口Ｅをスライド移動して開閉する円弧状の戸体５と、出入り口Ｅの上部からブース内上部に至るよう配され、前記戸体５を吊持する状態で戸体５の開閉スライド移動の案内をする円弧状の吊りレール７とを備えたものとしたときに、それぞれ異なる寸法に対応した円弧状の戸体５および吊りレール７を用いて構成することになるが、この場合、図１０、１１に示すように、前記実施の形態の戸体５（５-１）に対して幅広の戸体５-２である場合、戸体５−１（５）、５−２、吊りレール７−１（７）、７−２は、戸体５の当接面部８ｎに対する戸当り角度θが何れの寸法の場合も略一定の角度になるよう円弧中心Ｏ−１（Ｏ）、Ｏ−２の位置を調節することで円弧軌跡Ｘ−１（Ｘ）、Ｘ―２を描くものとして設ける構成にし、これにより、戸体５および吊りレール７以外のトイレブース１も含めて戸当り８等の部材装置の多くの共通化を図ることができ、部品点数の削減ができることになる。尚、この場合、戸当り角度θは、戸体５の幅が異なった場合において一致させることが好ましいが、多少のずれがあっても実施できることは言うまでもない。
【産業上の利用可能性】
【００２２】
本発明は、トイレブースやシャワーブース等のブース用の円弧状ドア装置に利用することができる。
【符号の説明】
【００２３】
１  トイレブース
２  戸先側前面パネル体
２ａ  室内側面
３  戸尻側前面パネル体
５、５−１、  ５−２  戸体
６  ハンガーローラ
７、７−１、７−２  吊りレール
８  戸当り
８ａ  基辺部
８ｊ  前側辺部
８ｋ  奥側辺部
８ｌ  連結辺部
８ｍ  当接辺部
８ｎ  当接面部
Ｅ  出入り口
Ｏ、Ｏ−１、Ｏ−２  円弧中心
Ｘ、Ｘ―１、Ｘ−２  円弧軌跡
θ  戸当り角度
【図１】
2019148136.tif 000003
【図２】
2019148136.tif 000004
【図３】
2019148136.tif 000005
【図４】
2019148136.tif 000006
【図５】
2019148136.tif 000007
【図６】
2019148136.tif 000008
【図７】
2019148136.tif 000009
【図８】
2019148136.tif 000010
【図９】
2019148136.tif 000011
【図１０】
2019148136.tif 000012
【図１１】
2019148136.tif 000013